(57)【要約】【課題】破損のおそれの低いスライドカバーを有する携帯電子機器を提供する。【解決手段】スライドカバー１０は異なる方向たとえば互いに反対方向に突出した２つのクリック突出部（凸部）１１、１２を有する。リアケースのリブが高いと折れる可能性が高いので、クリック突出部１２の部分はＬ字状に曲げてある。リアケースとのクリック感を出すための引掛り突出部１４が設けられている。さらに、スライドカバーを滑り易くさせるために、スライドカバー１０の先端部１５はフランジ形状をなしている。【選択図】図２
2009182734.tif 000002
【特許請求の範囲】
【請求項１】
開口部が形成された筐体と、
前記開口部を介して前記筐体の外部に露出して前記筐体内に配設された外部接続コネクタと、
前記開口部及び前記外部接続の少なくとも一部を外部から閉塞する第１の位置と、前記開口部及び前記外部接続コネクタの少なくとも一部を外部に露出させる第２の位置との間を移動可能に配設されたスライドカバーと、
を有し、
前記スライドカバーは、
第１の方向に突出する第１の突出部と、
前記第１の方向と異なる第２の方向に突出する第２の突出部と、
を含み、
前記第１の突出部および前記第２の突出部は前記第１、第２の位置の少なくともいずれか一方の位置において前記筐体に係合される
携帯電子機器。
【請求項２】
前記第１の方向と前記第２の方向は互いに反対方向である
請求項１に記載の携帯電子機器。
【請求項３】
前記筐体は複数のケース部材が係合されて構成され、前記第１の突出部は前記筐体の内部へ突出して前記複数のケース部材の１つのケース部材に係合される
請求項１に記載の携帯電子機器。
【請求項４】
前記第１の突出部は前記１つのケース部材に形成された凸部に係合され、当該凸部は前記１つのケース部材の厚さ方向に突出している
請求項３に記載の携帯電子機器。
【請求項５】
前記第１の突出部は前記凸部と反対方向に突出している第３の突出部を有し、前記第３の突出部が凸部に係合される
請求項４に記載の携帯電子機器。
【請求項６】
前記他の１つのケース部材にはストラップ支持用土台が形成され、前記凸部は前記ストラップ支持用土台に形成される
請求項４または５に記載の携帯電子機器。
【発明の詳細な説明】
【技術分野】
【０００１】
本発明は、スライドカバーを有する携帯電話機、デジタルカメラ、ＰＤＡ（Personal Digital Assistant)等の携帯電子機器に関する。
【背景技術】
【０００２】
一般に、携帯電子機器、たとえば折り畳み式携帯電話機は、開閉可能に連結されたキー操作部側筐体（第１筐体）及びパネル側筐体（第２筐体）により形成される。
【０００３】
この場合、パネル側筐体はスピーカ、ディスプレイ等を含んで構成され、他方、キー操作部側筐体は、フロントケース、シールドケース、回路基板（メイン基板）、メインアンテナ、カメラモジュール、リアケース、バッテリー、バッテリーリッド等を含んで構成される。
【０００４】
第１筐体（キー操作部側筐体）は、開口部を有し、開口部を介して筐体の外部に露出して筐体内に配設されたイヤホンコネクタ等の外部接続コネクタ及び開口部の少なくとも一部を外部から閉塞するための第１の位置と、外部接続コネクタ及び開口部の少なくとも一部を外部に露出するための第２の位置との間を移動可能に配設された樹脂製のスライドカバーを備えている（参照：特許文献１）。
【０００５】
図８は、第１の従来の携帯電話機に係るスライドカバーを示す斜視図である。
【０００６】
図８に示すように、スライドカバー３００の樹脂ばねは同一方向に突出した２つのクリック突出部（凸部）３０１、３０２を有する。３０３はスライドカバー３００の開状態のときに作用するフランジである。
【０００７】
図９は、図８のスライドカバー３００のキーボード側のフロントケース３１０への組込方法を説明する図であり、（Ａ）は組込時の斜視図、（Ｂ）は組込後のスライドカバー３００の閉状態を示す側面図、（Ｃ）は組込後のスライドカバー３００の開状態を示す斜視図である。
【０００８】
始めに、図９の（Ａ）に示すように、図８のスライドカバー３００をフロントケース３１０に組込む。
図９の（Ａ）において、外部接続コネクタ３１１はフロントケース３１０の開口部３１２を介してフロントケース３１０の外部に露出している。
【０００９】
次に、図９の（Ｂ）に示すように、フロントケース３１０にはリアケース３２０が係合される。ここで、スライドカバー３００が開口部３１２を閉塞するための第１の位置にあるとき、外部接続コネクタ３１１に対してスライドカバー３００は閉状態となる。
【００１０】
他方、図９の（Ｃ）に示すように、スライドカバー３００が開口部３１２を開口するための第２の位置にあるとき、外部接続コネクタ３１１に対してスライドカバー３００は開状態となる。
【００１１】
スライドカバー３００は図９の（Ｂ）に示す第１の位置と図９の（Ｃ）に示す第２の位置との間を移動可能である。
このとき、スライドカバー３００の開閉時のクリック荷重はスライドカバー３００のクリック突出部３０１、３０２がフロントケース３１０内の凸部３１３、３１４（図１０参照）を乗り越えることによって得られる。
【特許文献１】特開２００６−８６０２７号公報
【発明の開示】
【発明が解決しようとする課題】
【００１２】
ところで、図８、図９に示す第１の従来の携帯電話機においては、図１０に示すように、スライドカバー３００の開閉時のクリック荷重はスライドカバー３００のクリック突出部３０１、３０２がフロントケース３１０の凸部３１３、３１４を乗り越えることによって得られる。
この場合、スライドカバー３００は、寸法Ｌ及び撓み量Ｄを確保しなければならない。
つまり、スライドカバー３００の組込みばらつき等を小さくするためには、撓み量Ｄを大きくする必要があるが、省スペース化の場合、寸法Ｌを大きくできない。この状態で撓み量Ｄを大きくすると、負荷がかかる部分の応力が大きくなり、スライドカバー３００が破損するおそれがあるという課題がある。
【００１３】
本発明の目的は、破損のおそれの低いスライドカバーを有する携帯電子機器を提供することにある。
【課題を解決するための手段】
【００１４】
本発明に係る携帯電子機器は、開口部が形成された筐体と、前記開口部を介して前記筐体の外部に露出して前記筐体内に配設された外部接続コネクタと、前記開口部及び前記外部接続の少なくとも一部を外部から閉塞する第１の位置と、前記開口部及び前記外部接続コネクタの少なくとも一部を外部に露出させる第２の位置との間を移動可能に配設されたスライドカバーと、を有し、前記スライドカバーは、第１の方向に突出する第１の突出部と、前記第１の方向と異なる第２の方向に突出する第２の突出部と、を含み、前記第１の突出部および前記第２の突出部は前記第１、第２の位置の少なくともいずれか一方の位置において前記筐体に係合される。
【００１５】
好適には、前記第１の方向と前記第２の方向は互いに反対方向である。
【００１６】
好適には、前記筐体は複数のケース部材が係合されて構成され、前記第１の突出部は前記筐体の内部へ突出して前記複数のケース部材の１つのケース部材に係合される。
【００１７】
好適には、前記第１の突出部は前記１つのケース部材に形成された凸部に係合され、当該凸部は前記１つのケース部材の厚さ方向に突出している。
【００１８】
好適には、前記第１の突出部は前記凸部と反対方向に突出している第３の突出部を有し、前記第３の突出部が凸部に係合される。
【００１９】
好適には、前記他の１つのケース部材にはストラップ支持用土台が形成され、前記凸部は前記ストラップ支持用土台に形成される。
【発明の効果】
【００２０】
本発明によれば、破損のおそれの低いスライドカバーを有する携帯電子機器を提供することができる。
【発明を実施するための最良の形態】
【００２１】
以下、本発明の実施形態を図面に関連付けて説明する。
【００２２】
図１（Ａ）は、本発明の実施形態に係る携帯端末装置としての携帯電話機１の外観を開状態で示す正面図である。図１（Ｂ）は、携帯電話機１の外観を開状態で示す側面図である。
【００２３】
携帯電話機１は、いわゆる２軸ヒンジを有する携帯電話機として構成されている。
具体的には、携帯電話機１は、第１筐体２、第２筐体３と、連結筐体４とを有している。
連結筐体４は、第１筐体２と第１回転軸ＡＸ回りに回転可能に連結され、第２筐体３と第２回転軸ＢＸ回りに回転可能に連結されている。
【００２４】
第１筐体２及び第２筐体３は、例えば、概ね薄型直方体状に形成されており、長手方向の一端において連結されている。
第１筐体２及び第２筐体３は、閉状態において互いの輪郭が略一致するように形成されている。
第１筐体２の側部には、第１筐体２に形成された開口部の少なくとも一部を外部から閉塞するための第１の位置と開口部の少なくとも一部を外部に露出させるための第２の位置との間を移動可能にスライドカバー１０が配設されている。
【００２５】
第１筐体２には、例えば、図１（Ａ）に示すように、閉状態において第２筐体３と対向する面に、通話用のマイクロフォンの収音孔２０１と、ユーザの操作を受け付ける操作部２０２とが設けられている。
第１筐体２は、厚さ方向に２分された２つ（複数）のケース部材、すなわちフロントケース２２とリアケース２１とが嵌合して構成され、操作部２０２側のケース部材がフロントケース２２であり、第１筐体２の厚さ方向反対側のケース部材がリアケース２１である。なお、上述したスライドカバー１０は、フロントケース２２とリアケース２１との嵌合境界部分に配設されている。
【００２６】
第２筐体３には、例えば、図１（Ａ）に示すように、通話用のスピーカの放音孔３１、図形や文字等を含む画像を表示するメイン表示部３２が設けられている。なお、第２筐体３の背面には、例えば、不図示のサブ表示部が設けられている。
【００２７】
図２は本発明の実施形態に係る携帯電話機１のスライドカバー１０を示し、（Ａ）は斜視図、（Ｂ）は裏面図である。
図２の（Ａ）に示すように、スライドカバー１０は、カバー部１６と樹脂ばね部１７とを有する。カバー部１６は、第１筐体２の開口部をカバーする部位であり、樹脂ばね部１７は第１筐体２内に内包された、スライドカバー１０のスライド及び固定に寄与する部材である。
また、スライドカバー１０の樹脂ばね部１７に、互いに異なる方向、例えば互いに反対方向に突出した２つのクリック突出部１１（第１の突出部）、１２（第２の突出部）を設けてある。すなわち、本実施形態では、スライドカバー１０が第１筐体２に組み込まれたとき、クリック突出部１１の先端はリアケース２１内部側に突出するように、クリック突出部１２の先端はリアケース２１外部側に突出するように形成されている。
カバー部１６は、スライドカバー１０の開閉の際に取っ手の役割を果たすフランジ１３を有する。
【００２８】
さらに、図２の（Ｂ）に示すように、カバー部１６には、リアケースとのクリック感を出すための引掛り突出部１４が形成されている。
【００２９】
さらに、スライドのガイドとして作用させるために、スライドカバー１０の先端部１５はフランジ形状をなしている。
【００３０】
図３は図２のスライドカバー１０をリアケース２１への組込方法を説明する図であり、（Ａ）は組込時の斜視図、（Ｂ）は組込後の斜視図、（Ｃ）はフロントケース２２を嵌合係合した側面図である。
【００３１】
始めに、図３の（Ａ）に示すように、図２のスライドカバー１０は、第１筐体２（筐体）のリアケース２１（ケース部材）に組込まれて仮固定される。
第１筐体２の内部に配設された外部接続コネクタ（図示せず）はリアケース２１の開口部２１０を介してリアケース２１の外部に露出する。外部接続コネクタは、例えばイヤホン端子などが電気的に接続されるコネクタ端子である。
ここで、スライドカバー１０が開口部２１０を閉塞するための第１の位置にあるとき、外部接続コネクタはスライドカバー１０に対して閉状態となる。
【００３２】
他方、図３の（Ｂ）に示すように、スライドカバー１０が開口部２１０を開口するための第２の位置にあるとき、外部接続コネクタに対してスライドカバー１０は開状態となる。このように、スライドカバー１０が第２の位置にあるときには開口部２１０及び外部接続コネクタが開口されるとともに、スライドカバー１０がリアケース２１の内部側に収納されるため、使用者は外部接続コネクタの使用時にスライドカバー１０が邪魔にならず、操作性が高まるとともに視認性も向上する。
【００３３】
最後に、図３の（Ｃ）に示すように、リアケース２１にはフロントケース２２が嵌合される。
【００３４】
このように、スライドカバー１０はリアケース２１に仮固定し、クリック突出部１１、１２が設けられたスライドカバー１０の樹脂ばね部１７はフロントケース２２側へ伸びた構造となっている。
【００３５】
以下、図４及び図５を参照してスライドカバー１０のリアケース２１の仮固定について説明する。
上述のスライドカバー１０のリアケース２１への仮固定については図３の（Ｂ）に示すＸ方向、Ｙ方向、Ｚ方向構造について考慮する。
【００３６】
図４は、リアケース２１とスライドカバー１０との位置関係を示した図である。
図４（Ａ）は、リアケース２１とスライドカバー１０とを、第１筐体２の厚さ方向、フロントケース２２側から見た図である。
図４（Ａ）に示す斜線部分Ｃは、スライドカバー１０、リアケース２１及びフロントケース２２が嵌合された際に、スライドカバー１０がスライドして移動するためのスペースである。斜線部分Ｃにおけるスライドカバー１０のスライドを実現するために、リアケース２１には、図４（Ａ）に示すガイドリブ２１３が形成されている。
すなわち、リアケース２１の外壁部分と、ガイドリブ２１３とで挟み込む構造により、Ｘ方向のスライドカバー１０の固定が実現される。
【００３７】
図４（Ｂ）は、スライドカバー１０及びリアケース２１の厚さ方向での断面図である。
リアケース２１は、図４（Ａ）に示した斜線部分Ｃの下部にアンダカット２１２を有する。アンダカット２１２には、スライドカバー１０のフランジ形状の先端部１５が嵌合し、スライドカバー１０がスライドするときのガイドの役割を果たす。
図４（Ｂ）に示すように、スライドカバー１０の引掛り突出部１４は、リアケース２１のガイドリブ２１３の一部に引っかかる構成となっているため、スライドカバー１０のスライド時にクリック感が与えられるとともに、スライドカバー１０のＺ方向の固定が実現される。なお、スライドカバー１０がスライドする際には、引掛り突出部１４はリアケース２１のガイドリブ２１３から逃げるように構成されている。
【００３８】
図５は、スライドカバー１０のＹ方向の固定について説明するための図である。
図４（Ａ）及び図５（Ａ）に示すように、リアケース２１には、スライドカバー１０を支持するガイドリブ２１３及び、上述した第２の状態のスライドカバー１０の位置に隣接した位置に、ストラップ支持円土台２１１が配設される。図３（Ａ）及び（Ｂ）に示すように、リアケース２１にはストラップを通すためのストラップ孔２１４が形成されており、ストラップ支持円土台２１１は、ストラップ孔２１４を形成するためのリアケース２１の内部構成である。
【００３９】
図４（Ａ）に示すように、ストラップ支持円土台２１１には凸部２１１ａ（凸部）が形成されており、凸部２１１ａがスライドカバー１０のクリック突出部１１に係合されることにより、スライドカバー１０のＹ方向の固定が実現される。なお、凸部２１１ａの高さを高く形成すると、凸部２１１ａは細い柱状の部材であるため、弱い力でも容易に折れてしまうが、クリック突出部１１は先端部が凸部２１１ａと反対方向に突出する先端部１１ａ（第３の突起部）が形成され、この先端部１１ａと凸部２１１ａとが互いに係合されて構成されているため、凸部２１１ａの高さを高く形成せずともクリック突出部１１と係合されるようになっており、リアケース２１の厚さを凸部２１１ａのために厚くすることなく、凸部２１１ａを折れにくく構成することができる。
【００４０】
さらに、図４の（Ｂ）に示すように、リアケース２１の内部には部品が詰まっている。このため、省スペース化の観点から、リアケース２１のストラップ支持円土台２１１及び凸部２１１ａはスライドカバー１０よりも筐体内部側へ配置される。なお、凸部２１１ａは、スライドカバー１０よりも筐体２内部側に配置されるものであれば、ストラップ支持円土台２１１以外の内部構成に形成されていてもよい。
【００４１】
以上説明したような構成により、スライドカバー１０は上述した第２の状態の位置でリアケース２１に好適に固定され、スライドカバー１０のリアケース２１への組込性を確保できる。すなわち、スライドカバー１０は、リアケース２１とフロントケース２２とを嵌合する前段階でリアケース２１への組み込みが可能になり、携帯電話機１の組み立ての容易性が確保される。
【００４２】
図６は、図３の携帯電話機１のフロントケース２２のクリック凸部２２１、２２２、２２３を説明するためのフロントケース２２の一部内面図である。
図７は、図３の携帯電話機１のクリック動作を説明する図である。
【００４３】
図６に示すように、フロントケース２２には、スライドカバー１０の閉時に作用するクリック凸部２２１、２２２が設けられている。尚、２２３はスライドカバー１０の開時に作用するクリック凸部を示している。
すなわち、スライドカバー１０の閉時には、クリック突出部１１がクリック凸部２２１に、クリック突出部１２がクリック凸部２２２に係合されることにより、スライドカバー１０は閉状態（第１の状態）で固定される。また、スライドカバー１０の開時には、クリック突出部１２がクリック凸部２２３に係合されることにより、スライドカバー１０は開状態（第２の状態）で固定される。
スライドカバー１０の開閉時には、スライドカバー１０にかかるクリック荷重がクリック突出部１１、１２がフロントケース２２のクリック凸部２２１、２２２を乗り越えることによって得られる。
【００４４】
なお、スライドカバー１０の開閉時には、図７に示すごとく、スライドカバー１０の樹脂ばねにおいては、寸法Ｌ及び撓み量Ｄを確保しなければならない。
つまり、スライドカバー１０の組込みばらつき等を小さくするためには、撓み量Ｄを大きくする必要があるが、省スペース化の場合、たとえ寸法Ｌが小さくとも、図７の矢印に示すごとく、クリック突出部１１及び１２が互いに異なる方向に突出する凸部２２１、２２２から反対方向への力を受けることによりスライドカバー１０は斜めに傾くので、撓み量Ｄを大きくでき、この結果、負荷がかかる部分の応力を小さくでき、耐久試験等でスライドカバー１０の樹脂割れの発生を防止できる。
【００４５】
また、図７に示すように、クリック突出部１１及び１２が反対方向を向いて形成されているため、クリック突出部１１及び１２がクリック凸部２２１及び２２２を乗り越える際に、クリック凸部２２１及び２２２から受ける付加が異なる方向に分散され、スライドカバー１０が破損されるおそれが軽減される。
【００４６】
以上説明したように、本実施形態の電子機器（携帯電話機）によれば、開口部２１０が形成された筐体２と、開口部２１０を介して筐体２の外部に露出して筐体２内に配設された外部接続コネクタと、開口部２１０を閉塞するための第１の位置と開口部２１０の少なくとも一部を開口するための第２の位置との間を移動可能に配設されたスライドカバー１０とを有し、スライドカバー１０は、第１の方向に突出するクリック突出部１１（第１の突出部）と、第１の方向と異なる第２の方向に突出するクリック突出部１２（第２の突出部）とを含み、クリック突出部１１．１２は第１、第２の位置の少なくともいずれか一方の位置において筐体２に係合される。
すなわち、スライドカバー１０のクリック突出部１１及びクリック突出部１２がそれぞれ異なる方向に突出しているので、スライドカバー１０が第１の位置及び第２の位置のいずれか一方からいずれか他方に移動してクリック突出部１１及びクリック突出部１２と筐体２との係合が解除される際、スライドカバー１０のクリック突出部１１及びクリック突出部１２にかかる負荷が異なる方向に分散され、スライドカバー１０が破損するおそれが低減される。
【００４７】
また、本実施形態においては、第１、第２の方向は互いに反対方向である。
これにより、スライドカバー１０のクリック突出部１１及びクリック突出部１２にかかる負荷がそれぞれ反対方向に分散されてスライドカバーが破損する恐れが低減される。つまり、スライドカバー１０が負荷の方向に応じて回転運動し、破損の恐れが低減される。
なお、上述した実施形態においては、第１、第２の方向は互いに反対方向であったが、本発明はこれには限定されず、第１、第２の方向が異なる方向を向いていればよい。
【００４８】
また、本実施形態においては、筐体２はフロントケース２２とリアケース２１とが係合されて構成され、クリック突出部１１は筐体２の内部へ突出し、組み込み状態においてリアケース２１に係合される。
これにより、スライドカバー１０がリアケース２１に係合されて組み込まれるので、組立工程の効率化が図られる。
また、クリック突出部１１が係合されるストラップ支持円土台２１１の凸部２１１ａは、スライドカバー１０の配設されるリアケース２１における位置（図４における斜線部分Ｃ）よりも内部よりの位置に形成されているため、リアケース２１を幅方向に広げることなくスライドカバー１０を係合することができる。これにより、携帯電話機１の幅を抑えることができる。
さらに、クリック突出部１１の先端部１１ａが凸部２１１ａと反対方向に突出されているため、凸部２１１ａの高さを樹脂ばね部１７の高さまで高く形成せずともクリック突出部１１と係合されるようになっており、リアケース２１の厚さを凸部２１１ａのために厚くすることなく、凸部２１１ａを折れにくく構成することができる。これにより、携帯電話機１の厚さを抑えることができる。
【００４９】
さらに、本実施形態においては、クリック突出部１１はフロントケース２２に形成されたクリック凸部２２１（第１のクリック凸部）に係合され、クリック凸部２２１はフロントケース２２の厚さ方向に突出している。また、クリック突出部１２は１つのケース部材に形成されたクリック凸部２２２（第２のクリック凸部）に係合され、クリック凸部２２２はフロントケース２２の厚さ方向かつクリック凸部２２１と反対方向に突出している。
さらに、フロントケース２２はクリック凸部２２１と反対方向に突出するクリック凸部２２３（第３のクリック凸部）を有し、スライドカバー１０の開時において、クリック突出部１２はクリック凸部２２３に係合される。
すなわち、スライドカバー１０の閉時には、クリック突出部１１がクリック凸部２２１に、クリック突出部１２がクリック凸部２２２に係合されることにより、スライドカバー１０は閉状態（第１の状態）で固定される。また、スライドカバー１０の開時には、クリック突出部１２がクリック凸部２２３に係合されることにより、スライドカバー１０は開状態（第２の状態）で固定される。
【００５０】
上述の実施の形態においては、本発明に係る筐体は折り畳み式携帯電話機の筐体であったが、非折り畳み式携帯電話機の筐体にも適用し得る。また、本発明は携帯電話機以外の電子機器たとえばデジタルカメラ、ＰＤＡ等にも適用し得る。
【図面の簡単な説明】
【００５１】
【図１】本発明の実施形態に係る携帯端末装置としての携帯電話機の外観を開状態で示す図であって、（Ａ）は平面図、（Ｂ）は側面図である。
【図２】本発明に係る携帯電話機のスライドカバーを示し、（Ａ）は斜視図、（Ｂ）は（Ａ）の裏面図である。
【図３】携帯電話機の組立方法を示す図である。
【図４】リアケースとスライドカバーとの位置関係を示した図である。
【図５】スライドカバーのＹ方向の固定について説明するための図である。
【図６】フロントケースのクリック凸部を説明するための図２のフロントケースの一部内面図である。
【図７】携帯電話機のクリック動作を説明する図である。
【図８】第１の従来の携帯電話機のスライドカバーを示す斜視図である。
【図９】図８の携帯電話機の組立方法を示す図である。
【図１０】図８の携帯電話機のクリック動作を説明する図である。
【符号の説明】
【００５２】
１…携帯電話機、２…筐体、３…筐体、４…連結筐体、１０…スライドカバー、１１…クリック突出部、１２…クリック突出部、１３…フランジ、１４…突出部、１５…先端部、１６…カバー部、１７…樹脂ばね部、２１…リアケース、２１１…ストラップ支持円土台、２１１ａ…凸部、２１２…アンダカット、２１３…ガイドリブ、２１４ストラップ孔、２２…フロントケース、２２１…クリック凸部、２２２…クリック凸部、２２３…クリック凸部、３１…放音孔、３２…メイン表示部、２０１…収音孔、２０２…操作部、２１０…開口部、３００…スライドカバー、３０１…クリック突出部、３１０…フロントケース、３１１…外部接続コネクタ、３１２…開口部、３１３…凸部、３２０リアケース
【図１】
2009182734.tif 000003
【図２】
2009182734.tif 000004
【図３】
2009182734.tif 000005
【図４】
2009182734.tif 000006
【図５】
2009182734.tif 000007
【図６】
2009182734.tif 000008
【図７】
2009182734.tif 000009
【図８】
2009182734.tif 000010
【図９】
2009182734.tif 000011
【図１０】
2009182734.tif 000012